(57)【要約】【課題】ランドセル等の背負い鞄をより体にフィットさせ、疲労感を和らげることのできる背負いベルト取付具の提供。【解決手段】背負い鞄１の背板２に固定されるケース体３に二本の揺動アーム４，４を左右対称に備え、各揺動アームの上部に背負いベルト７の取付環５の挿通部６を横長に有し、挿通部の端部に取付環の回動規制部８ａ，８ｂを有し、取付環のベルト係止部９に、背負いベルトを止める鋲１０が貫通するベルト固定部１１が形成してあり、背負いベルト７の付け根が上向きに保持されることを特徴とする。【選択図】      図１
2004237072.tif 000002
【特許請求の範囲】
【請求項１】
背負い鞄（１）の背板（２）に固定されるケース体（３）に二本の揺動アーム（４，４）を左右対称に備え、各揺動アームの上部に背負いベルト（７）の取付環（５）の挿通部（６）を横長に有し、挿通部の端部に取付環の回動規制部（８ａ，８ｂ）を有し、取付環のベルト係止部（９）に、背負いベルトを止める鋲（１０）が貫通するベルト固定部（１１）が形成してあり、背負いベルト（７）の付け根が上向きに保持されることを特徴とする背負いベルト取付具。
【請求項２】
背負い鞄（１）の背板（２）に固定されるケース体（３）に二本の揺動アーム（４，４）を左右対称に備え、各揺動アームの上部にベルト係止部（９）を一体に有し、さらにその上側に背負いベルト（７）を止める鋲（１０）が貫通するベルト固定部（１１）が形成してあり、背負いベルト（７）の付け根が上向きに保持されることを特徴とする背負いベルト取付具。
【請求項３】
背負いベルト（７）の内部に埋め込まれているクッション材（２１ａ）は、前記ベルト固定部（１１）と相対する部分に凹み（２３）を設けてあることを特徴とする請求項１又は２記載の背負いベルト取付具。
【請求項４】
背負いベルトを止める鋲（１０）の受け金（２６）にカバー（２７）を取付けてあることを特徴とする請求項１、２、又は３記載の背負いベルト取付具。
【発明の詳細な説明】
【０００１】
【発明の属する技術分野】
本発明は、背負い鞄（特にランドセル）の背負いベルト上端部の取付具に関する。
【０００２】
【従来の技術】
従来のランドセルは、図１０に示すように、背負いベルト７の上端部が、略三角形のリング状となった取付環９０に回動自在に連結されている。また、取付環９０も水平方向の軸を支点として上下に回動自在となっている。したがって背負いベルト７は、その上側の付け根が上下に移動すると共に、ベルトの向きが自由に変わることとなっていた。
【０００３】
【発明が解決しようとする課題】
しかし、背負いベルトの付け根がそのようにぐらぐらの状態だと、図６（ロ）に示すように、ランドセルを背中に担いだ時にランドセル１が下に垂れ下がるような格好になることから、ランドセルがより重く感じられることがあった。また、ランドセルを担ぐ際に背負いベルト７に腕を通し難く、担ぎづらいという欠点もある。特に腕を片方ずつ背負いベルトに通す場合に、後から通す方の腕が通しづらい。本発明はこうした実情に鑑み、ランドセル等の背負い鞄をより体にフィットさせ、疲労感を和らげることのできる背負いベルト取付具の提供を目的とする。
【０００４】
【課題を解決するための手段】
上記の課題を達成するために、請求項１記載の発明による背負いベルト取付具は、背負い鞄の背板に固定されるケース体に二本の揺動アームを左右対称に備え、各揺動アームの上部に背負いベルトの取付環の挿通部を横長に有し、挿通部の端部に取付環の回動規制部を有し、取付環のベルト係止部に、背負いベルトを止める鋲が貫通するベルト固定部が形成してあり、背負いベルトの付け根が上向きに保持されることを特徴とする。回動規制部は、取付環を上向きの一定の角度に固定する形態であっても良いが、上向きの一定の角度範囲だけに回動を規制する形態であっても良い。要は背負い鞄を背中に担いだ時に、取付環がある角度以上前側（体側）に倒れないようになっていれば良い。ランドセルは、梱包用の箱に詰める際には背負いベルトをランドセルの周りに巻いて止めておくので、そのためには取付環が後ろ側（ランドセル側）には倒れるようになっていた方が、背負いベルトの付け根をランドセルにぴったりと添わせられるので都合が良い。
【０００５】
また、請求項２記載の発明による背負いベルト取付具は、背負い鞄の背板に固定されるケース体に二本の揺動アームを左右対称に備え、各揺動アームの上部にベルト係止部を一体に有し、さらにその上側に背負いベルトを止める鋲が貫通するベルト固定部が形成してあり、背負いベルトの付け根が上向きに保持されることを特徴とする。
【０００６】
本発明の背負いベルト取付具においては、背負いベルトはベルト固定部を挟む状態で鋲を打って取り付けられるため、そのままでは背負いベルトのベルト固定部に対応する部分が膨らんで飛び出るような格好になり、見た目があまりよくない。そこで請求項３に記載したように、背負いベルトに埋め込んであるクッション材の、ベルト固定部に相対する部分に凹みを設けておくことにより、上記不都合を解消できる。
【０００７】
また本発明の背負いベルト取付具は、背負いベルトの付け根を上向きに保持するので、ベルトの付け根の裏側に髪の毛が触れやすくなると考えられ、そうすると背負いベルトを固定している鋲の受け金に髪の毛が引っ掛かるおそれがある。請求項４記載の発明のように、背負いベルトを止める鋲の受け金にカバーを取り付けることで、鋲の受け金に髪の毛が引っ掛かるのを防止できる。
【０００８】
【発明の実施の形態】
以下、本発明の実施の形態を図面に基づいて説明する。図１は、本発明による背負いベルト取付具の第一実施形態を示す正面図であり、図２はその側面図であり、図３はこれをランドセルに取り付けた状態で示す斜視図である。本取付具は、ベース板１２と蓋体１３によりケース体３が構成され、ケース体３には左右対称な２本の揺動アーム４，４を備えている。各揺動アーム４は、下端部に設けた孔をベース板１２に突出形成した軸部１４に差し込んで揺動可能に軸支されている。また、ベース体１２と揺動アーム４の間には捩りバネ１５が介装してあり、左右の揺動アーム４は互いに近付く方向に付勢されている。ケース体３は、ランドセル１の背板２上部にビス１６で固定される。なお、図中の１８は、ランドセルを吊り具に引っ掛けて吊り下げるための吊り下げ環である。
【０００９】
揺動アーム４は上部がケース体３から突出しており、そこに背負いベルト取付環５の挿通部６が横長の円筒状に形成してある。背負いベルト取付環５は、金属の丸棒を略三角形のリング状に曲げて形成され、両端の内側に折り曲げた部分を挿通部６に両側から差し込んで取り付けられる。挿通部６の外側の端部には、取付環５のコーナー部が嵌合する溝８ａを形成してあり、挿通部６の内側の端部には、取付環５のコーナー部が嵌合する溝を持った保持部８ｂを突出形成してあり、取付環５は、図２に示すように上向きの一定の角度で固定されている。取付環５の固定される角度は垂直であっても良いが、若干前側に傾いた状態がより好ましく、図２の実施形態では当該角度αを２５°としている。ベルト係止部９となる取付環５の斜辺部分には、ベルト固定部１１がＵ字状ないしＶ字状に突出して形成してある。背負いベルト７は、上端部を取付環５に挿通して折り返し、重なった部分を鋲１０で止めて固定されるが、この時、鋲１０をベルト固定部１１に貫通させる。そうすると背負いベルト７は、取付環のベルト係止部９に回動不能に固定されることになる。
【００１０】
背負いベルト７は、図７に示すように、裏側の生地２０の上にクッション材２１ａ，２１ｂを重ねて接着し、裏側の生地２０の縁を内側に折り込んでから、上から表側の生地２２を重ね、周囲をミシンで縫って形成される。クッション材２１ａは、ベルト固定部１１に相対する部分に孔を開けて凹み２３を形成してあり、その裏側に合成皮革による補強材２４を張り付けて補強してある。背負いベルト７は、図９（イ）に示すように、端部を取付環５に挿通して折り返し、ベルト固定部１１を挟んだ状態で背負いベルト７の表側から鋲１０の軸部２５を貫通させ、図９（ロ）に示すように、軸部２５の先端をかしめてリング状の受け金２６に係止させることによって、取付環５に固定されている。背負いベルト７は、内部のクッション材２１ａのベルト固定部１１に相対する部分に凹み２３を設けてあるので、ベルト固定部１１の部分がベルトの裏側に膨らむことなく、体裁良く取付けできる。鋲１０の軸部２５は筒状となっており、図９（ハ）に示すように、ベルトの裏側には軸部２５に圧入する形で、受け金２６を覆うカバー２７を取付けてある。このカバー２７により、受け金２６に女の子の長い髪の毛が引っ掛かることを防止できる。
【００１１】
図４は、揺動アーム４への取付環５の取付部分の別の実施形態を示している。この実施形態では、揺動アーム４の挿通部６の外側の端部には、取付環５の回動を上側の一定の範囲に規制する溝８ａを設けてあり、挿通部６の内側の端部には、取付環５を前側から支えて倒れないように保持する保持部８ｂを突出形成してある。従って取付環５は、前側に約２５°、後ろ側に約５０°の範囲で回動するようになっている。
【００１２】
本取付具によれば、ランドセルを背中に担いだ時に背負いベルト７の付け根が上向きに保持されるため、図６（イ）に示すように、背負いベルト７とランドセルの背板２が肩と背中によりフィットするとともに、ランドセルの重心が若干上に上がるため、ランドセルが軽く感じられるようになり、ランドセルを担いだ時の疲労が和らげられる。また、また図３に示すように、背負いベルトの付け根が上向きに保持されていることで、背負いベルト７に腕を通しやすく、ランドセルが担ぎ易くなる。
【００１３】
図５は、本発明の背負いベルト取付具の第二実施形態を示している。これまでに説明したものでは、揺動アーム４に背負いベルト７を係止させるために別体の取付環５を設けたが、本実施形態では、揺動アーム４の上部に、背負いベルトの挿通孔１７を備えたベルト係止部９を一体的に形成した。さらにベルト係止部９の上側に、背負いベルト７を止める鋲１０が貫通するベルト固定部１１を板状に突出形成した。この実施形態によれば、背負いベルト７の付け根が上向きの一定の角度に固定される。
【００１４】
【発明の効果】
本発明の背負いベルト取付具によれば、背負いベルトの付け根が上向きに保持されるため、背負いベルトとランドセルの背板が肩と背中によりフィットするとともに、ランドセルの重心が若干上に上がるため、ランドセルが軽く感じられるようになり、ランドセルを担いだ時の疲労が和らげられる。また、背負いベルトに腕を通しやすく、ランドセルが担ぎ易くなる。さらに、揺動アームが揺動することにより、背負いベルト付け根の位置を体の大きさに合わせて左右に調節できるため、背負い鞄をより一層担ぎ易くすることができる。
【００１５】
請求項３記載の発明は、背負いベルトに埋め込んであるクッション材に凹みを設けてあるので、背負いベルトをベルト固定部を挟む状態で取り付けても、膨らみを生ずることなく、体裁良く背負いベルトを取付けできる。
【００１６】
本発明の背負いベルト取付具は、背負いベルトの付け根を上向きに保持するので、ベルトの付け根の裏側に髪の毛が触れやすくなるが、請求項４記載のように鋲の受け金にカバーを取付けることで、鋲の受け金に髪の毛が引っ掛かることを防止できる。
【図面の簡単な説明】
【図１】本発明の背負いベルト取付具の第一実施形態を一部切り欠きした状態で示す正面図である。
【図２】図１に示す背負いベルト取付具の側面図である。
【図３】図１に示す背負いベルト取付具をランドセルに取り付けた状態で示す斜視図である。
【図４】（イ）（ロ）（ハ）
揺動アームへの取付環の取付部分の別の実施形態を示す、揺動アームと取付環（右側のもの）の左側面図、正面図、右側面図である。
【図５】本発明の背負いベルト取付具の第二実施形態を一部切り欠きした状態で示す正面図である。
【図６】（イ）（ロ）
本発明の背負いベルト取付具を用いたランドセルと従来のランドセルを背中に担いだ時の状態を比較して示す図である。
【図７】背負いベルトの付け根部分の内部構造を示す製作途中の段階での平面図である。
【図８】図７におけるＡ−Ａ断面図である。
【図９】（イ）（ロ）（ハ）
背負いベルトの取付環への取付けを段階的に示す断面図である。
【図１０】ランドセルの背負いベルト取付具の従来例を示す斜視図である。
【符号の説明】
１  ランドセル（背負い鞄）
２  背板
３  ケース体
４  揺動アーム
５  取付環
６  挿通部
７  背負いベルト
８ａ  溝（回動規制部）
８ｂ  保持部（回動規制部）
９  ベルト係止部
１０  鋲
１１  ベルト固定部
２１ａ，２１ｂ  クッション材
２３  凹み
２６  受け金
２７  カバー
【図１】
2004237072.tif 000003
【図２】
2004237072.tif 000004
【図３】
2004237072.tif 000005
【図４】
2004237072.tif 000006
【図５】
2004237072.tif 000007
【図６】
2004237072.tif 000008
【図７】
2004237072.tif 000009
【図８】
2004237072.tif 000010
【図９】
2004237072.tif 000011
【図１０】
2004237072.tif 000012